(57)【要約】【課題】ディスクに欠陥が生じた場合であっても、好適な記録クロックを生成することができるようにして、記録品位の向上を図る。【解決手段】本発明に係る光ディスク装置においては、ＷＡＰアドレスカウンタ５８は、光ディスクに形成されたウォブルに基づき第１のアドレスを検出し、記録データアドレスカウンタ５９は記録データに含まれる第２のアドレスを検出し、誤差検出器６０は、第１のアドレスと検出された第２のアドレスとを比較し、第１のアドレスと第２のアドレスとの間に、予め設定された所定の基準値よりも大きいズレが存在するか否かを判定し、第３の分周器５７は、第１のアドレスと第２のアドレスとの間に予め設定された所定の基準値よりも大きいズレが存在すると判定された場合、クロック分周数を変更し、位相比較器５３、ＬＰＦ５４、ＶＣＯ５５、および第２の分周器５６は、変更されたクロック分周数を用いて、光ディスクに記録データを記録する際に用いられる記録クロックを生成する。【選択図】  図２
2008186538.tif 000002
【特許請求の範囲】
【請求項１】
光ディスクに形成されたウォブルに基づき、第１のアドレスを検出する第１の検出手段と、
記録データに含まれる第２のアドレスを検出する第２の検出手段と、
前記第１の検出手段により検出された前記第１のアドレスと、前記第２の検出手段により検出された前記第２のアドレスとを比較し、前記第１のアドレスと前記第２のアドレスとの間に、予め設定された所定の基準値よりも大きいズレが存在するか否かを判定する判定手段と、
前記判定手段により前記第１のアドレスと前記第２のアドレスとの間に、予め設定された所定の基準値よりも大きいズレが存在すると判定された場合、クロック分周数を変更する変更手段と、
前記変更手段により変更された前記クロック分周数を用いて、前記光ディスクに記録データを記録する際に用いられる記録クロックを生成する生成手段とを備えることを特徴とする光ディスク装置。
【請求項２】
前記第１のアドレスは、ＷＡＰアドレスであり、前記第２のアドレスは、記録データアドレスであることを特徴とする請求項１に記載の光ディスク装置。
【請求項３】
前記変更手段は、前記判定手段により前記第１のアドレスと前記第２のアドレスとの間に、予め設定された所定の基準値よりも大きいズレが存在しないと判定された場合、クロック分周数を変更しないことを特徴とする請求項１に記載の光ディスク装置。
【請求項４】
光ディスクに形成されたウォブルに基づき、第１のアドレスを検出する第１の検出ステップと、
記録データに含まれる第２のアドレスを検出する第２の検出ステップと、
前記第１の検出ステップの処理により検出された前記第１のアドレスと、前記第２の検出ステップの処理により検出された前記第２のアドレスとを比較し、前記第１のアドレスと前記第２のアドレスとの間に、予め設定された所定の基準値よりも大きいズレが存在するか否かを判定する判定ステップと、
前記判定ステップの処理により前記第１のアドレスと前記第２のアドレスとの間に、予め設定された所定の基準値よりも大きいズレが存在すると判定された場合、クロック分周数を変更する変更ステップと、
前記変更ステップの処理により変更された前記クロック分周数を用いて、前記光ディスクに記録データを記録する際に用いられる記録クロックを生成する生成ステップとを含むことを特徴とする光ディスク記録方法。
【発明の詳細な説明】
【技術分野】
【０００１】
本発明は光ディスク装置および光ディスク記録再生方法に係り、特に、記録クロックを生成することができるようにした光ディスク装置および光ディスク記録方法に関する。
【背景技術】
【０００２】
光ディスクにＣＡＶ（Constant Angular Velocity）で記録データを記録する場合、ディスク上の記録位置の半径により線速度が変化する。そのため、記録密度を一定にすることができるように、記録の際にデータ記録レートを変化させる必要がある。データ記録レートを変化させる場合、一般に、例えば光ディスクに予め形成されたウォブルを用いて記録クロックを生成し、生成された記録クロックに基づいて、データ記録レートを変化させる（例えば特許文献１参照）。
【０００３】
特許文献１に提案されている技術によれば、ウォブル信号に変調されて記録されているアドレス情報から必要な記録クロック周波数を算出し、算出された記録クロック周波数の信号を、水晶振動子などの安定した基準信号源からシンセサイズ方式で記録クロックを生成することができる。
【特許文献１】特開２００５−１８９０１号公報
【発明の開示】
【発明が解決しようとする課題】
【０００４】
しかしながら、特許文献１に提案されている技術では、プリピットアドレスと記録データアドレスを比較することで記録クロックの補正するようにしているが、補正元となる記録クロックはプリピットアドレスからの半径位置とモータの回転速度から決定されるため、機械特性の悪いディスクに関しては記録クロックの品位が悪くなってしまうという課題があった。
【０００５】
本発明は、このような状況に鑑みてなされてものであり、ディスクに欠陥が生じた場合であっても、好適な記録クロックを生成することができる光ディスク装置および光ディスク記録方法を提供することを目的とする。
【課題を解決するための手段】
【０００６】
本発明の光ディスク装置は、上述した課題を解決するために、光ディスクに形成されたウォブルに基づき、第１のアドレスを検出する第１の検出手段と、記録データに含まれる第２のアドレスを検出する第２の検出手段と、第１の検出手段により検出された第１のアドレスと、第２の検出手段により検出された第２のアドレスとを比較し、第１のアドレスと第２のアドレスとの間に、予め設定された所定の基準値よりも大きいズレが存在するか否かを判定する判定手段と、判定手段により第１のアドレスと第２のアドレスとの間に、予め設定された所定の基準値よりも大きいズレが存在すると判定された場合、クロック分周数を変更する変更手段と、変更手段により変更されたクロック分周数を用いて、光ディスクに記録データを記録する際に用いられる記録クロックを生成する生成手段とを備えることを特徴とする。
【０００７】
本発明の光ディスク記録方法は、上述した課題を解決するために、第１のアドレスを検出する第１の検出ステップと、記録データに含まれる第２のアドレスを検出する第２の検出ステップと、第１の検出ステップの処理により検出された第１のアドレスと、第２の検出ステップの処理により検出された第２のアドレスとを比較し、第１のアドレスと第２のアドレスとの間に、予め設定された所定の基準値よりも大きいズレが存在するか否かを判定する判定ステップと、判定ステップの処理により第１のアドレスと第２のアドレスとの間に、予め設定された所定の基準値よりも大きいズレが存在すると判定された場合、クロック分周数を変更する変更ステップと、変更ステップの処理により変更されたクロック分周数を用いて、光ディスクに記録データを記録する際に用いられる記録クロックを生成する生成ステップとを含むことを特徴とする。
【０００８】
本発明の光ディスク装置においては、光ディスクに形成されたウォブルに基づき、第１のアドレスが検出され、記録データに含まれる第２のアドレスが検出され、検出された第１のアドレスと検出された第２のアドレスとを比較し、第１のアドレスと第２のアドレスとの間に、予め設定された所定の基準値よりも大きいズレが存在するか否かが判定され、第１のアドレスと第２のアドレスとの間に、予め設定された所定の基準値よりも大きいズレが存在すると判定された場合、クロック分周数が変更され、変更されたクロック分周数を用いて、光ディスクに記録データを記録する際に用いられる記録クロックが生成される。
【０００９】
本発明の光ディスク記録方法においては、光ディスクに形成されたウォブルに基づき、第１のアドレスが検出され、記録データに含まれる第２のアドレスが検出され、検出された第１のアドレスと検出された第２のアドレスとを比較し、第１のアドレスと第２のアドレスとの間に、予め設定された所定の基準値よりも大きいズレが存在するか否かが判定され、第１のアドレスと第２のアドレスとの間に、予め設定された所定の基準値よりも大きいズレが存在すると判定された場合、クロック分周数が変更され、変更されたクロック分周数を用いて、光ディスクに記録データを記録する際に用いられる記録クロックが生成される。
【発明の効果】
【００１０】
本発明によれば、ディスクに欠陥が生じた場合であっても、好適な記録クロックを生成することができるので記録品位の向上を図ることができ、また再生時のエラー低減を図ることができる。
【発明を実施するための最良の形態】
【００１１】
以下、本発明の実施の形態について、図面を参照しながら説明する。
【００１２】
図１は、本発明の第１実施形態に係る光ディスク装置１の構成を表している。
【００１３】
光ディスク装置１は、例えばＤＶＤ（Digital Versatile Disc）−Ｒ／ＲＷ、ＨＤ（High Definition）−ＤＶＤ−Ｒ／ＲＷなど情報記録媒体としての光ディスク４０に対して情報の記録及び再生を行う。光ディスク４０は、同心円状または螺旋状に溝が刻まれており、溝の凹部をランド、凸部をグルーブと呼び、グループまたはランドの一周をトラックと呼ぶ。ユーザデータは、このトラック（グルーブのみ、またはグルーブおよびランド）に沿って、強度変調されたレーザ光が照射されて記録マークが形成されることにより光ディスク４０上に記録される。データ再生は、記録時より弱いリードパワー(Read Power)のレーザ光をトラックに沿って照射して、トラック上にある記録マークによる反射光強度の変化を検出することにより行われる。記録されたデータの消去は、リードパワーより強いイレースパワー(Erase Power)のレーザ光をトラックに沿って照射し、記録層を結晶化することにより行われる。
【００１４】
光ディスク４０はスピンドルモータ２によって回転駆動される。スピンドルモータ２に付設されたロータリエンコーダ２ａからスピンドルモータ駆動回路３に回転角信号が出力される。スピンドルモータ２が１回転すると、回転角信号は例えば５パルス発生する。これにより、スピンドルモータ制御回路４は、スピンドルモータ駆動回路３を介してロータリエンコーダ２ａから入力された回転角信号に基づいて、スピンドルモータ２の回転角度および回転数を判定することができる。このスピンドルモータ２はスピンドルモータ制御回路４により制御される。
【００１５】
光ディスク４０に対する情報の記録または再生は、光ピックアップ５によって行われる。光ピックアップ５は、ギア１８およびスクリューシャフト１９を介して送りモータ２０と連結されており、この送りモータ２０は送りモータ駆動回路２１により制御される。送りモータ２０が送りモータ駆動回路２１から供給された送りモータ駆動電流によって回転することで、光ピックアップ５が光ディスク４０の半径方向に移動する。
【００１６】
光ピックアップ５には、図示しないワイヤあるいは板バネによって支持された対物レンズ６が設けられる。対物レンズ６はフォーカスアクチュエータ８の駆動によりフォーカシング方向（レンズの光軸方向）への移動が可能であり、また、トラッキングアクチュエータ７の駆動によりトラッキング方向（レンズの光軸と直交する方向）への移動が可能である。
【００１７】
レーザ制御回路１７は、記録時にレーザダイオード９を制御するためのレーザ制御信号を生成する記録レーザ制御回路（図示せず）と、再生時にレーザダイオード９を制御するためのレーザ制御信号を生成する再生レーザ制御回路（図示せず）からなり、情報記録時（マーク形成時）に、ホスト装置４１からインタフェース回路３９を介して供給される記録データ（変調回路３４において例えばＥＦＭ変調方式などにより変調された記録データ）に基づいて、書き込み用信号をレーザダイオード（レーザ発光素子）９に供給する。また、レーザ制御回路１７は、情報読取り時に、書き込み信号より小さい読取り用信号をレーザダイオード９に供給する。なお、レーザ制御回路１７には、ユーザデータを光ディスク４０に記録する際に用いられるライト・ストラテジと呼ばれる、符号長パターンごとのエッジタイミング微調整情報が予め設定されており、このエッジタイミング微調整情報に基づいてエッジタイミング調整されたレーザ駆動電流（レーザ制御信号）がレーザダイオード９に出力される。
【００１８】
フロントモニタ・フォトダイオード１０は、レーザダイオード９が発生するレーザ光の一部をハーフミラー１１により一定比率だけ分岐し、光量すなわち照射パワーに比例した受光信号を検出し、検出された受光信号をレーザ制御回路１７に供給する。レーザ制御回路１７はフロントモニタ・フォトダイオード１０から供給された受光信号を取得し、取得された受光信号に基づいて、ＣＰＵ（Central Processing Unit）３８により予め設定された再生時のレーザパワー（照射パワー）、記録時のレーザパワー、および消去時のレーザパワーで発光するようにレーザダイオード９を制御する。
【００１９】
レーザダイオード９は、レーザ制御回路１７から供給される信号に応じてレーザ光を発光する。レーザダイオード９から発光されるレーザ光は、コリメータレンズ１２、ハーフプリズム１３、および対物レンズ６を介して光ディスク３９上に照射される。光ディスク４０からの反射光は、対物レンズ６、ハーフプリズム１３、集光レンズ１４、およびシリンドリカルレンズ１５を介して、光検知器１６に導かれる。
【００２０】
光検知器１６は、例えば４分割の光検知セルからなり、検知信号を生成し、生成された検知信号をＲＦアンプ２３に出力する。ＲＦアンプ２３は、光検知器１６からの検知信号を処理し、ジャストフォーカスからの誤差を示すフォーカス誤差信号（ＦＥ）、レーザ光のビームスポット中心とトラック中心との誤差を示すトラッキング誤差信号（ＴＥ）、および検知信号の全加算信号である再生信号（ＲＦ）を生成し、生成されたフォーカス誤差信号（ＦＥ）、トラッキング誤差信号（ＴＥ）、および再生信号（ＲＦ）をＡ／Ｄ変換器３０に供給する。
【００２１】
また、ＲＦアンプ２３は、プッシュプル信号を生成し、生成されたプッシュプル信号をウォブル処理部３３に供給する。ウォブル処理部３３は、ＲＦアンプ２３から供給されたプッシュプル信号からウォブル信号を生成するとともに、生成されたウォブル信号に基づいて記録クロックを生成する。ライト・ストラテジは、この記録クロックに従い、データ記録レートの変化に合わせて変化する。
【００２２】
フォーカス制御回路２５は、ＲＦアンプ２３からＡ／Ｄ変換器３０を介して取り込まれたフォーカス誤差信号（ＦＥ）に応じてフォーカス制御信号を生成し、生成されたフォーカス制御信号をフォーカスアクチュエータ駆動回路２４に供給する。フォーカスアクチュエータ駆動回路２４は、フォーカス制御回路２５から供給されたフォーカス制御信号に基づいて、フォーカスアクチュエータ８を駆動するためのフォーカスアクチュエータ駆動電流をフォーカシング方向のフォーカスアクチュエータ８に供給する。これにより、レーザ光が光ディスク４０の記録膜上に常時ジャストフォーカスとなるフォーカスサーボが行われる。
【００２３】
トラック制御回路２７は、ＲＦアンプ２３からＡ／Ｄ変換器３０を介して取り込まれたトラッキング誤差信号（ＴＥ）に応じてトラッキング制御信号を生成し、生成されたトラッキング制御信号をトラッキングアクチュエータ駆動回路２６に供給する。トラッキングアクチュエータ駆動回路２６は、トラッキング制御回路２７から供給されたトラッキング制御信号に基づいて、トラッキングアクチュエータ７を駆動するためのトラッキングアクチュエータ駆動電流をトラッキング方向のトラッキングアクチュエータ７に供給する。これにより、レーザ光が光ディスク４０上に形成されたトラック上を常にトレースするトラッキングサーボが行われる。
【００２４】
このようなフォーカスサーボおよびトラッキングサーボがなされることで、光検知器１６（各光検知セル）からの検知信号の全加算信号である再生信号（ＲＦ）には、記録情報に対応して光ディスク４０のトラック上に形成されたピットなどからの反射光の変化が反映される。この再生信号は微弱なアナログ信号であり、ＲＦアンプ２３により増幅されて、Ａ／Ｄ変換器３０において一定周波数でサンプリングされた後、データ再生回路３１に供給される。また、データ再生回路３１は、は、Ａ／Ｄ変換器３０から供給される再生信号の振幅やオフセットの補正を行うとともに、ＰＬＬ（Phase Locked Loop）回路２９にて再生クロック信号に同期した信号へと変換したうえでエラー訂正回路３２に出力する。
【００２５】
ＣＰＵ３６は、ＲＦアンプ２３から出力された後にＡ／Ｄ変換器３０を介してディジタル信号に変換されたフォーカス誤差信号（ＦＥ）およびトラッキング誤差信号（ＴＥ）などのディジタル信号に種々の演算処理を施し、スピンドルモータ制御回路４、送りモータ制御回路２２、フォーカス制御回路２５、およびトラッキング制御回路２７の制御を行う。
【００２６】
また、レーザ制御回路１７、ＰＬＬ回路２９、Ａ／Ｄ変換器３０、およびエラー訂正回路３２などは、バス３５を介してＣＰＵ３６によって制御される。ＣＰＵ３６は、インタフェース回路３９を介してホスト装置４１から供給される動作コマンドに従うとともに、ＲＯＭ（Read Only Memory）３７に記憶されているプログラムおよびＲＯＭ３７からＲＡＭ（Random Access Memory）３８にロードされたプログラムに従って各種の処理を実行し、種々の制御信号を生成し、各部に供給することにより光ディスク装置１を統括的に制御する。
【００２７】
図２は、図１のウォブル処理部３３の内部の構成を表している。
【００２８】
図２に示されるように、ウォブル処理部３３は、ウォブル信号生成部５１、第１の分周器５２、位相比較器５３、ＬＰＦ（Low Pass Filter）５４、ＶＣＯ（Voltage Controlled Oscillator）５５、第２の分周器５６、第３の分周器５７、ＷＡＰ（Wobble Address in Periodic position）アドレスカウンタ５８、記録データアドレスカウンタ５９、および誤差検出器６０により構成される。
【００２９】
ウォブル信号生成部５１は、ＲＦアンプ２３から供給されたプッシュプル信号からウォブル信号を生成し、生成されたウォブル信号を第１の分周器５２に出力するとともに、生成されたウォブル信号をＷＡＰアドレスカウンタ５８に出力する。
【００３０】
第１の分周器５２は、例えば１２分周器などであり、ウォブル信号生成部５１から入力されたウォブル信号をＮ分周し、そのＮ分周信号を位相比較器５３に出力する。位相比較器５３は、第１の分周器５２から入力されたＮ分周信号と、第３の分周器５７から入力されたＬ分周信号の周波数と位相のずれに応じた誤差信号を生成し、生成された誤差信号をＬＰＦ５４に出力する。
【００３１】
ＬＰＦ５４は、位相比較器５３から入力された誤差信号の高周波成分をカットすることにより、ＶＣＯ制御信号を生成し、生成されたＶＣＯ制御信号をＶＣＯ５５に出力する。ＶＣＯ５５は、例えば電圧制御発振器であり、ＬＰＦ５４から入力されたＶＣＯ制御信号に基づいて、ＶＣＯ出力信号の周波数ｆvcoを変え、周波数ｆvcoが変えられたＶＣＯ出力信号を第２の分周器５６に出力する。
【００３２】
第２の分周器５６は、例えば２分周器などであり、ＶＣＯ５５から入力されたＶＣＯ出力信号をＭ分周し、そのＭ分周信号をバス３５に記録クロック（２channel clock）として出力するとともに、第３の分周器５７にも出力する。第３の分周器５７は、例えば５８８（±１）分周器などであり、第２の分周器５６から入力されたＭ分周信号をＬ分周し、そのＬ分周信号を位相比較器５３に出力する。
【００３３】
ＷＡＰアドレスカウンタ５８は、ウォブル信号生成部５１から入力されたウォブル信号を用いて、逐次、ＷＡＰアドレスを検出し、検出されたＷＡＰアドレスを誤差検出器６０に出力する。記録データアドレスカウンタ５９は、記録データに含まれる記録データアドレスを検出し、検出された記録データアドレスを誤差検出器６０に出力する。
【００３４】
誤差検出器６０は、ＷＡＰアドレスが検出されるごとに、ＷＡＰアドレスカウンタ５８から入力されたＷＡＰアドレスと、記録データアドレスカウンタ５９から入力された記録データアドレスを比較し、２つのアドレス間に予め設定された所定の基準値（例えば±３バイトなど）よりも大きいズレが存在するか否かを判定する。
【００３５】
誤差検出器６０は、ＷＡＰアドレスと記録データアドレスとの間に予め設定された所定の基準値（例えば３バイトなど）よりも大きいズレが存在すると判定すると、その旨の判定結果を示す判定指示信号を生成し、生成された判定指示信号を第３の分周器５７に出力する。
【００３６】
次に、図１の光ディスク装置１における記録クロック生成処理について説明する。この記録クロック生成処理は、光ディスク４０に記録データを記録する記録時に開始される。
【００３７】
ステップＳ１において、光ディスク４０への記録データの記録時に、ウォブル信号生成部５１は、ＲＦアンプ２３から供給されたプッシュプル信号からウォブル信号を生成し、生成されたウォブル信号を第１の分周器５２に出力するとともに、生成されたウォブル信号をＷＡＰアドレスカウンタ５８に出力する。
【００３８】
ＷＡＰアドレスカウンタ５８は、ウォブル信号生成部５１から入力されたウォブル信号を用いて、逐次、ＷＡＰアドレスを検出し、検出されたＷＡＰアドレスを誤差検出器６０に出力する。
【００３９】
ステップＳ２において、記録データアドレスカウンタ５９は、記録データに含まれる記録データアドレスを検出し、検出された記録データアドレスを誤差検出器６０に出力する。
【００４０】
ステップＳ３において、誤差検出器６０は、ＷＡＰアドレスが検出されるごとに、ＷＡＰアドレスカウンタ５８から入力されたＷＡＰアドレスと、記録データアドレスカウンタ５９から入力された記録データアドレスを比較し、２つのアドレス間に予め設定された所定の基準値（例えば±３バイトなど）よりも大きいズレが存在するか否かを判定する。
【００４１】
すなわち、例えばＨＤ  ＤＶＤの記録時では、データブロックの記録開始位置は物理セグメントの先頭から２４ウォブル後に予め決まっており、このデータブロックの記録開始位置は±３バイトのズレが許容されている。そこで、ＷＡＰアドレスと記録データアドレスとの間に予め設定された所定の基準値（例えば３バイトなど）よりも大きいズレが存在するか否かが判定される。
【００４２】
なお、この所定の基準値は、光ディスク４０の種類などに応じて適宜変更するようにしてもよい。
【００４３】
ステップＳ３においてＷＡＰアドレスと記録データアドレスとの間に予め設定された所定の基準値（例えば３バイトなど）よりも大きいズレが存在すると判定された場合、誤差検出器６０は、その旨の判定結果を示す判定指示信号を生成し、生成された判定指示信号を第３の分周器５７に出力する。
【００４４】
ステップＳ４において、第３の分周器５７は、誤差検出器６０から入力された判定指示信号に基づいて、ＷＡＰアドレスと記録データアドレスとの間に予め設定された所定の基準値（例えば３バイトなど）よりも大きいズレが存在すると認識するとともに、Ｍ分周信号を分周する際のクロック分周数を例えばＬ分周からＬ±１分周に変更し、変更されたクロック分周数でＭ分周信号を分周し、そのＬ±１分周信号を位相比較器５３に出力する。
【００４５】
より具体的には、例えばＷＡＰアドレスと記録データアドレスとの間に予め設定された所定の基準値（例えば３バイトなど）よりも大きいズレが存在し、ＷＡＰアドレスが記録データアドレスよりも＋３バイトよりも大きくズレていた場合、Ｍ分周信号を分周する際のクロック分周数がＬ分周からＬ−１分周に変更され、変更されたクロック分周数でＭ分周信号を分周し、そのＬ−１分周信号が位相比較器５３に出力される。
【００４６】
一方、例えばＷＡＰアドレスと記録データアドレスとの間に予め設定された所定の基準値（例えば３バイトなど）よりも大きいズレが存在し、ＷＡＰアドレスが記録データアドレスよりも−３バイトよりも大きくズレていた場合、Ｍ分周信号を分周する際のクロック分周数がＬ分周からＬ＋１分周に変更され、変更されたクロック分周数でＭ分周信号を分周し、そのＬ＋１分周信号が位相比較器５３に出力される。
【００４７】
勿論、Ｍ分周信号を分周する際のクロック分周数を、例えばＬ分周からＬ±１分周に変更する以外にも、例えばＬ分周からＬ±１分周以外に分周に変更するようにしてもよい。つまり、２つのアドレス（ＷＡＰアドレスと記録データアドレス）との間のズレが解消するようにクロック分周数を変更するようにしさえすればよい。
【００４８】
ステップＳ５において、位相比較器５３、ＬＰＦ５４、ＶＣＯ５５、および第２の分周器５６は、変更されたクロック分周数によるＬ±１分周信号を用いて、記録クロックを生成する。すなわち、位相比較器５３は、第１の分周器５２から入力されたＮ分周信号と、第３の分周器５７から入力されたＬ±１分周信号の周波数と位相のずれに応じた誤差信号を生成し、生成された誤差信号をＬＰＦ５４に出力する。
【００４９】
ＬＰＦ５４は、位相比較器５３から入力された誤差信号の高周波成分をカットすることにより、ＶＣＯ制御信号を生成し、生成されたＶＣＯ制御信号をＶＣＯ５５に出力する。ＶＣＯ５５は、ＬＰＦ５４から入力されたＶＣＯ制御信号に基づいて、ＶＣＯ出力信号の周波数ｆvcoを変え、周波数ｆvcoが変えられたＶＣＯ出力信号を第２の分周器５６に出力する。第２の分周器５６は、ＶＣＯ５５から入力されたＶＣＯ出力信号をＭ分周し、そのＭ分周信号をバス３５に記録クロック（２channel clock）として出力する。
【００５０】
これにより、たとえ光ディスク４０に記録データ（ユーザデータ）を記録する際に、光ディスク４０に生じている欠陥などによりウォブル信号の生成に異常が発生し、記録クロックに多少の変動が生じた場合であっても、２つのアドレス（ＷＡＰアドレスと記録データアドレス）との間のズレが解消するようにクロック分周数を変更し、変更されたクロック分周数を用いて記録クロックを生成することができる。
【００５１】
従って、ＷＡＰアドレスと記録データアドレスとの同期（物理セグメントとデータブロックの位置の同期）を所定の規格内に維持することができる。特に、本発明においては、従来にはＤＶＤ−Ｒ／ＲＷの記録時におけるＷＡＰアドレスと記録データアドレスの同期のみに限定されていた記録クロックの補正を、ＨＤ  ＤＶＤの記録時にまで適用することが可能となる。
【００５２】
一方、ステップＳ３においてＷＡＰアドレスと記録データアドレスとの間に予め設定された所定の基準値（例えば３バイトなど）よりも大きいズレが存在しないと判定された場合、誤差検出器６０は、その旨の判定結果を示す判定指示信号を生成し、生成された判定指示信号を第３の分周器５７に出力する。
【００５３】
ステップＳ６において、第３の分周器５７は、誤差検出器６０から入力された判定指示信号に基づいて、ＷＡＰアドレスと記録データアドレスとの間に予め設定された所定の基準値（例えば３バイトなど）よりも大きいズレが存在しないと認識するとともに、Ｍ分周信号を分周する際のクロック分周数をＬ分周から変更せず、Ｍ分周信号をＬ分周し、そのＬ分周信号を位相比較器５３に出力する。
【００５４】
ステップＳ７において、位相比較器５３、ＬＰＦ５４、ＶＣＯ５５、および第２の分周器５６は、Ｌ分周信号を用いて記録クロックを生成する。すなわち、位相比較器５３は、第１の分周器５２から入力されたＮ分周信号と、第３の分周器５７から入力されたＬ分周信号の周波数と位相のずれに応じた誤差信号を生成し、生成された誤差信号をＬＰＦ５４に出力する。
【００５５】
ＬＰＦ５４は、位相比較器５３から入力された誤差信号の高周波成分をカットすることにより、ＶＣＯ制御信号を生成し、生成されたＶＣＯ制御信号をＶＣＯ５５に出力する。ＶＣＯ５５は、ＬＰＦ５４から入力されたＶＣＯ制御信号に基づいて、ＶＣＯ出力信号の周波数ｆvcoを変え、周波数ｆvcoが変えられたＶＣＯ出力信号を第２の分周器５６に出力する。第２の分周器５６は、ＶＣＯ５５から入力されたＶＣＯ出力信号をＭ分周し、そのＭ分周信号をバス３５に記録クロック（２channel clock）として出力する。
【００５６】
その後、処理はステップＳ１に戻り、ステップＳ１以降の処理が繰り返し実行される。
【００５７】
本発明の実施形態においては、ＷＡＰアドレスを逐次検出するとともに、記録データアドレスを検出し、検出されたＷＡＰアドレスと記録データアドレスとの間に予め設定された所定の基準値（例えば３バイトなど）よりも大きいズレが存在するか否かを判定し、ＷＡＰアドレスと記録データアドレスとの間に予め設定された所定の基準値（例えば３バイトなど）よりも大きいズレが存在すると判定された場合、Ｍ分周信号を分周する際のクロック分周数を例えばＬ分周からＬ±１分周に変更することができる。そして、変更されたクロック分周数を用いて記録クロックを生成することができる。
【００５８】
これにより、たとえ光ディスク４０に記録データ（ユーザデータ）を記録する際に、光ディスク４０に生じている欠陥などによりウォブル信号の生成に異常が発生し、記録クロックに多少の変動が生じた場合であっても、２つのアドレス（ＷＡＰアドレスと記録データアドレス）との間のズレが解消するようにクロック分周数を変更し、変更されたクロック分周数を用いて記録クロックを生成することができる。
【００５９】
その結果、ディスクに欠陥が生じた場合であっても、好適な記録クロックを生成することができる。
【００６０】
従って、ＷＡＰアドレスと記録データアドレスとの同期（物理セグメントとデータブロックの位置の同期）を所定の規格内に維持することができる。特に、本発明においては、従来にはＤＶＤ−Ｒ／ＲＷの記録時におけるＷＡＰアドレスと記録データアドレスの同期のみに限定されていた記録クロックの補正を、ＨＤ  ＤＶＤの記録時にまで適用することが可能となる。以上により、光ディスク４０の記録品位を向上させることができる。
【００６１】
なお、本発明の実施形態において説明した一連の処理は、ソフトウェアにより実行させることもできるが、ハードウェアにより実行させることもできる。
【００６２】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００６３】
【図１】本発明に係る光ディスク装置の内部の構成を示すブロック図。
【図２】図１のウォブル処理部の内部の構成を示すブロック図。
【図３】図１の光ディスク装置における記録クロック生成処理を説明するフローチャート。
【符号の説明】
【００６４】
１…光ディスク装置、２…スピンドルモータ、２ａ…ロータリエンコーダ、３…スピンドルモータ駆動回路、４…スピンドル制御回路、５…光ピックアップ、６…対物レンズ、７…トラッキングアクチュエータ、８…フォーカスアクチュエータ、９…レーザダイオード、１０…フロントモニタ・フォトダイオード、１１…ハーフミラー、１２…コリメータレンズ、１３…ハーフプリズム、１４…集光レンズ、１５…シリンドリカルレンズ、１６…光検出器、１７…レーザ駆動回路、１８…ギア、１９…スクリューシャフト、２０…送りモータ、２１…送りモータ駆動回路、２２…送りモータ制御回路、２３…ＲＦアンプ、２４…フォーカスアクチュエータ駆動回路、２５…フォーカスアクチュエータ制御回路、２６…トラッキングアクチュエータ駆動回路、２７…トラッキング制御回路、２８…水晶、２９…ＰＬＬ回路、３０…Ａ／Ｄ変換器、３１…データ再生回路、３２…エラー訂正回路、３３…ウォブル処理部、３４…変調回路、３５…バス、３６…ＣＰＵ、３７…ＲＯＭ、３８…ＲＡＭ、３９…インタフェース回路、４０…光ディスク、４１…ホスト装置、５１…ウォブル信号生成部、５２…第１の分周器、５３…位相比較器、５４…ＬＰＦ、５５…ＶＣＯ、５６…第２の分周器、５７…第３の分周器、５８…ＷＡＰアドレスカウンタ、５９…記録データアドレスカウンタ、６０…誤差検出器。
【図１】
2008186538.tif 000003
【図２】
2008186538.tif 000004
【図３】
2008186538.tif 000005